【手続補正書】
【提出日】平成16年10月18日(2004.10.18)
【手続補正１】
【補正対象書類名】明細書
【補正対象項目名】請求項１
【補正方法】変更
【補正の内容】
【請求項１】
運搬用フレームと、この運搬用フレームに着脱自在に取付けられて被介助者を載せるシート状吊り具とを備え、
上記運搬用フレームは、所定の間隔をあけて配置した一対のメインフレーム部と、両メインフレーム部を一体に連結するサブフレーム部とを備えており、
また上記シート状吊り具は、柔軟で丈夫なシート部と、このシート部の縁に設けた吊り部とを備え、この吊り部は上記運搬用フレームに着脱可能に取付けられて、シート状吊り具に載せた被介助者を該シート状吊り具にほぼ座らせた状態で、かつ被介助者が上記サブフレーム部を把持可能な状態で、上記運搬用フレームによって上記サブフレーム部の下方に吊り下げられることを特徴とする簡易移乗介助装置。
【手続補正２】
【補正対象書類名】明細書
【補正対象項目名】０００４
【補正方法】変更
【補正の内容】
【０００４】
【課題を解決するための手段】
すなわち請求項１の発明は、運搬用フレームと、この運搬用フレームに着脱自在に取付けられて被介助者を載せるシート状吊り具とを備え、
上記運搬用フレームは、所定の間隔をあけて配置した一対のメインフレーム部と、両メインフレーム部を一体に連結するサブフレーム部とを備えており、
また上記シート状吊り具は、柔軟で丈夫なシート部と、このシート部の縁に設けた吊り部とを備え、この吊り部は上記運搬用フレームに着脱可能に取付けられて、シート状吊り具に載せた被介助者を該シート状吊り具にほぼ座らせた状態で、かつ被介助者が上記サブフレーム部を把持可能な状態で、上記運搬用フレームによって上記サブフレーム部の下方に吊り下げられることを特徴とするものである。
また請求項６の発明は、運搬用フレームと、この運搬用フレームに着脱自在に取付けられて被介助者を載せるシート状吊り具とを備え、
上記運搬用フレームは、所定の間隔をあけて配置した一対の屈曲したメインフレーム部と、両メインフレーム部を一体に連結するサブフレーム部と、両メインフレーム部の一端部に設けた車輪とを備えて、両メインフレームの他端部をグリップした状態で、上記車輪により運搬用フレームを移動させることができるようになっており、
また上記シート状吊り具は、柔軟で丈夫なシート部と、このシート部の縁に設けた吊り部とを備え、この吊り部は上記運搬用フレームに着脱可能に取付けられて、シート状吊り具に載せた被介助者を該シート状吊り具にほぼ座らせた状態で上記運搬用フレームで吊り下げることができるようになっていることを特徴とするものである。
【手続補正３】
【補正対象書類名】明細書
【補正対象項目名】０００５
【補正方法】変更
【補正の内容】
【０００５】
【作用】
請求項１および請求項６の発明においては、被介助者を移動させる際には、被介助者をシート部に座らせた状態として上記シート部を運搬用フレームに着脱可能に取付ければよい。
請求項１の発明では、その状態で運搬用フレームを構成する一対のメインフレーム部の両端部をそれぞれグリップして持上げることにより、上記シート状吊り具に載せた被介助者を該シート状吊り具に座らせた状態で、かつ被介助者が上記サブフレーム部を把持可能な状態で吊り下げることができる。
また請求項６の発明では、上記シート部を運搬用フレームに着脱可能に取付けた後、車輪とは反対側のメインフレーム部の他端部をグリップして持上げることにより、上記シート状吊り具に載せた被介助者を該シート状吊り具に座らせた状態で吊り下げることができる。
この際、いずれの発明においても、両メインフレーム部はサブフレーム部によって一体に連結されているので、両メインフレーム部が被介助者に強く圧接されて苦痛を与えることがなく、また各メインフレーム部がばらばらに動いて被介助者に不安感を与えることもない。
そして特に請求項６の発明では、運搬用フレームに設けた車輪により被介助者を容易に移動させることができる。
【手続補正４】
【補正対象書類名】明細書
【補正対象項目名】０００８
【補正方法】変更
【補正の内容】
【０００８】
しかして、上記簡易移乗介助装置１の使用方法について、図５ないし図６に基づいて説明する。
先ず、歩行が困難な被介助者Ａを、シート状吊り具１７のシート部１８に仰向けに寝かせるとともに、この被介助者Ａの各部位が上述したように第１吊り部２１ないし第３吊り部２３の所定の位置になるように位置調節する（図３参照）。
このとき、シート状吊り具１７はベッド等の床から一段高くなったようなところに設置しておくのが望ましい。
そして、被介助者Ａを所定の位置に位置決めしたら、シート部１８の下部をゴムバンド２８によって束ねた後、被介助者Ａを仰向けにした状態でシート状吊り具１７と共にベッドの縁まで移動させ、この位置で被介助者Ａの上体をシート部１８の上部とともに起こすとともに、膝から下の部分をベッドの下方に垂らし、被介助者Ａを丁度ベッドの縁に腰掛けたような状態にする。
このように被介助者Ａをベッドの縁に腰掛けさせたら、第１介助者Ｂと第２介助者Ｃによって保持した運搬用フレーム２の両メインフレーム部３、３の間に被介助者Ａの上体を入れた状態で、各吊り部２１、２２、２３を対応する各フック１１、１２、１３、より具体的には第１吊り部２１を第１フック１１に掛けるとともに、第２吊り部２２を第２フック１２に、また第３吊り部２３を第３フック１３に掛けて運搬用フレーム２にシート状吊り具１７を完全に連結する（図５参照）。このとき、第１介助者Ｂと第２介助者Ｃは、それぞれ第１ショルダーベルト６と第２ショルダーベルト７を肩に掛けて作業を行なうのが望ましい。
そして運搬用フレーム２にシート状吊り具１７を連結したら、図６に示すように、第１介助者Ｂと第２介助者Ｃとで運搬用フレーム２を持ち上げれば、シート状吊り具１７、より具体的には第１吊り部２１、第２吊り部２２および第３吊り部２３とによって被介助者Ａは自然に座った状態で保持されるようになり、被介助者Ａをこの状態で運搬移動することができる。
このとき、被介助者Ａを運搬する運搬用フレーム２のメインフレーム部３、３はサブフレーム部４によって連結されているので、被介助者Ａの重みが運搬用フレーム２に加わってもメインフレーム部３、３が被介助者Ａに圧接して苦痛を与えることもなければ、またメインフレーム部３、３がばらばらに動いて被介助者Ａに不安感を与えるといったこともない。
そしてまた、上記シート状吊り具１７は、被介助者Ａがサブフレーム部４を把持可能な状態で上記サブフレーム部４の下方に吊り下げられるので（図５参照）、それにより運搬時の揺れを抑制することができるとともに、しかも安心感も得ることができる。
なお上記実施例では、簡易移乗介助装置１を運搬移動のとき使用したがこれに限定されるものではなく、例えば被介助者をベッドと車椅子の移し替えのときに使用してもよい。すなわち、運搬用フレーム２によって吊り下げた被介助者をシート状吊り具１７ごと車椅子に座らせた後、第１吊り部２１ないし第３吊り部２３を第１フック１１ないし第３フック１３から取り外せば運搬用フレーム２が邪魔になることなく車椅子で移動することができ、また車椅子から被介助者をベッド等に移すときには第１吊り部２１ないし第３吊り部２３を第１フック１１ないし第３フックに掛けてシート状吊り具１７を運搬用フレーム２に連結するだけで被介助者を車椅子からベッドに容易に移すことができるので、これにより被介助者の移し替えをスムースかつ容易に行なうことができる。
また本実施例では、運搬用フレーム２に脚部１０を設けているので、この脚部１０を引き出すことにより介助者は一時的な休息を取ることもできる。
さらに本実施例では、被介助者Ａを座った姿勢で運搬することができるので、メインフレーム部３、３の全長を極力短くすることができ、運搬時の取り回し性を向上を図ることもできる。